【手続補正書】
【提出日】平成19年5月29日(2007.5.29)
【手続補正１】
【補正対象書類名】明細書
【補正対象項目名】特許請求の範囲
【補正方法】変更
【補正の内容】
【特許請求の範囲】
【請求項１】  伝送品質目標値に従って伝送パワーを制御するパワー制御アルゴリズムを用いて、移動無線通信システムの性能を改善する方法であって、
必要とされる伝送パワーにおいて重大な変化が発生した場合、必要とされる伝送品質目標値の対応する変化に従って、伝送パワーを変化させることによって、前記パワー制御アルゴリズムをバイパスするステップを含む方法。
【請求項２】  前記必要とされる伝送品質目標値の対応する変化に従って、伝送パワーを前記変化させることは、前記パワー制御アルゴリズムに従って伝送パワーを変化させることに加えて行われる、請求項１に記載の方法。
【請求項３】  前記必要とされる伝送パワーにおける重大な変化が、伝送速度における変化を含む請求項１又は２に記載の方法。
【請求項４】  前記必要とされる伝送パワーにおける重大な変化は、圧縮モードでの伝送に対応する、請求項１から３のいずれか一項に記載の方法。
【請求項５】  前記必要とされる伝送品質目標値の対応する変化は、所定の値を有する、請求項１から４のいずれか一項に記載の方法。
【請求項６】  前記所定の値が、定期的に更新される請求項５に記載の方法。
【請求項７】  前記伝送品質が、信号対干渉比によって表される請求項１から６のいずれか一項に記載の方法。
【請求項８】  前記移動無線通信システムが、ＣＤＭＡタイプである請求項１から７のいずれか一項に記載の方法。
【請求項９】  前記パワー制御が、前記移動無線通信システムの上りリンク伝送方向で行われる請求項１から８のいずれか一項に記載の方法。
【請求項１０】  前記パワー制御が、前記移動無線通信システムの下りリンク伝送方向で行われる請求項１から８のいずれか一項に記載の方法。
【請求項１１】  伝送品質目標値に従って伝送パワーを制御する、上りリンク伝送方向の、パワー制御アルゴリズムを実行する手段を有する、移動無線通信システムの移動局であって、
伝送要件において重大な変化が発生した場合、必要とされる伝送品質目標値の対応する変化に従って、伝送パワーを変化させることによって、前記パワー制御アルゴリズムをバイパスする手段を含む、移動局。
【請求項１２】  前記必要とされる伝送品質目標値の対応する変化に従って、伝送パワーを前記変化させることは、前記パワー制御アルゴリズムに従って伝送パワーを変化させることに加えて行われる、請求項１１に記載の移動局。
【請求項１３】  前記必要とされる伝送パワーにおける重大な変化が、伝送速度における変化を含む請求項１１又は１２に記載の移動局。
【請求項１４】  前記必要とされる伝送パワーにおける重大な変化は、圧縮モードでの伝送に対応する、請求項１１から１３のいずれか一項に記載の移動局。
【請求項１５】  前記必要とされる伝送品質目標値の対応する変化は、所定の値を有する、請求項１１から１４のいずれか一項に記載の移動局。
【請求項１６】  前記所定の値が、定期的に更新される請求項１５に記載の移動局。
【請求項１７】  前記伝送品質が、信号対干渉比によって表される請求項１１から１６のいずれか一項に記載の移動局。
【請求項１８】  前記伝送パワーを変化させる手段が、必要とされる伝送パワーにおける異なる重大な変化に対応する、必要とされる伝送品質目標値の対応する変化の所定の値を含んでいる参照用テーブルを含む請求項１１から１７のいずれか一項に記載の移動局。
【請求項１９】  前記参照用テーブルに記憶される値を受信する手段を有し、前記値はネットワークにより通信される、請求項１８に記載の移動局。
【請求項２０】  伝送品質目標値に従って伝送パワーを制御する、上りリンク伝送方向の、パワー制御アルゴリズムを実行する手段と、必要とされる伝送パワーにおいて重大な変化が発生した場合、必要とされる伝送品質目標値の対応する変化に従って、伝送パワーを変化させることによって、前記パワー制御アルゴリズムをバイパスする手段を含む、移動無線通信システムの、移動無線通信ネットワークエンティティであって、
必要とされる伝送パワーにおいて重大な変化が発生した場合、必要とされる伝送品質目標値を対応して変化させる手段を有する、移動無線通信ネットワークエンティティ。
【請求項２１】  前記必要とされる伝送品質目標値の対応する変化に従って、伝送パワーを前記変化させることは、前記パワー制御アルゴリズムに従って伝送パワーを変化させることに加えて行われる、請求項２０に記載の移動無線通信ネットワークエンティティ。
【請求項２２】  前記必要とされる伝送パワーにおける重大な変化が、伝送速度における変化を含む請求項２０又は２１に記載の移動無線通信ネットワークエンティティ。
【請求項２３】  前記必要とされる伝送パワーにおける重大な変化は、圧縮モードでの伝送に対応する、請求項２０から２２のいずれか一項に記載の移動無線通信ネットワークエンティティ。
【請求項２４】  前記必要とされる伝送品質目標値の対応する変化は、所定の値を有する、請求項２０から２３のいずれか一項に記載の移動無線通信ネットワークエンティティ。
【請求項２５】  前記所定の値が、定期的に更新される請求項２４に記載の移動無線通信ネットワークエンティティ。
【請求項２６】  前記伝送品質が、信号対干渉比によって表される請求項２０から２５のいずれか一項に記載の移動無線通信ネットワークエンティティ。
【請求項２７】  前記必要とされる伝送品質目標値を対応して変化させる手段が、必要とされる伝送パワーにおける異なる重大な変化に対応する、必要とされる伝送品質目標値の対応する変化の所定の値を含んでいる参照用テーブルを含む請求項２０から２６のいずれか一項に記載の移動無線通信ネットワークエンティティ。
【請求項２８】  移動局へ、前記必要とされる伝送品質目標値の対応する変化を通信する手段を含む請求項２０から２７のいずれか一項に記載の移動無線通信ネットワークエンティティ。
【請求項２９】  更に、ネットワーク側において行われた品質の推定に基づいて、前記通信される値を定期的に更新する手段を含む、請求項２８に記載の移動無線通信ネットワークエンティティ。
【請求項３０】  伝送品質目標値に従って伝送パワーを制御する、下りリンク伝送方向の、パワー制御アルゴリズムを実行する手段を有する、移動無線通信システムの移動無線通信ネットワークエンティティであって、
必要とされる伝送パワーにおいて重大な変化が発生した場合、必要とされる伝送品質目標値の対応する変化に従って、伝送パワーを変化させることによって、前記パワー制御アルゴリズムをバイパスする手段を含む、移動無線通信ネットワークエンティティ。
【請求項３１】  前記必要とされる伝送品質目標値の対応する変化に従って、伝送パワーを前記変化させることは、前記パワー制御アルゴリズムに従って伝送パワーを変化させることに加えて行われる、請求項３０に記載の移動無線通信ネットワークエンティティ。
【請求項３２】  前記必要とされる伝送パワーにおける重大な変化が、伝送速度における変化を含む請求項３０又は３１に記載の移動無線通信ネットワークエンティティ。
【請求項３３】  前記必要とされる伝送パワーにおける重大な変化は、圧縮モードでの伝送に対応する、請求項３０から３２のいずれか一項に記載の移動無線通信ネットワークエンティティ。
【請求項３４】  前記必要とされる伝送品質目標値の対応する変化は、所定の値を有する、請求項３０から３３のいずれか一項に記載の移動無線通信ネットワークエンティティ。
【請求項３５】  前記所定の値が、定期的に更新される請求項３４に記載の移動無線通信ネットワークエンティティ。
【請求項３６】  前記伝送品質が、信号対干渉比によって表される請求項３０から３５のいずれか一項に記載の移動無線通信ネットワークエンティティ。
【請求項３７】  前記伝送パワーを変化させる手段が、必要とされる伝送パワーにおける異なる重大な変化に対応する、必要とされる伝送品質目標値の対応する変化の所定の値を含んでいる参照用テーブルを含む請求項３０から３６のいずれか一項に記載の移動無線通信ネットワークエンティティ。
【請求項３８】  前記参照用テーブルに記憶される値を受信する手段を有し、前記値は移動局により通信される、請求項３７に記載の移動無線通信ネットワークエンティティ。
【請求項３９】  伝送品質目標値に従って伝送パワーを制御する、下りリンク伝送方向の、パワー制御アルゴリズムを実行する手段と、必要とされる伝送パワーにおいて重大な変化が発生した場合、必要とされる伝送品質目標値の対応する変化に従って、伝送パワーを変化させることによって、前記パワー制御アルゴリズムをバイパスする手段を含む、移動無線通信システムの、移動局であって、
必要とされる伝送パワーにおいて重大な変化が発生した場合、必要とされる伝送品質目標値を対応して変化させる手段を有する、移動局。
【請求項４０】  前記必要とされる伝送品質目標値の対応する変化に従って、伝送パワーを前記変化させることは、前記パワー制御アルゴリズムに従って伝送パワーを変化させることに加えて行われる、請求項３９に記載の移動局。
【請求項４１】  前記必要とされる伝送パワーにおける重大な変化が、伝送速度における変化を含む請求項３９又は４０に記載の移動局。
【請求項４２】  前記必要とされる伝送パワーにおける重大な変化は、圧縮モードでの伝送に対応する、請求項３９から４１のいずれか一項に記載の移動局。
【請求項４３】  前記必要とされる伝送品質目標値の対応する変化は、所定の値を有する、請求項３９から４２のいずれか一項に記載の移動局。
【請求項４４】  前記所定の値が、定期的に更新される請求項４３に記載の移動局。
【請求項４５】  前記伝送品質が、信号対干渉比によって表される請求項３９から４４のいずれか一項に記載の移動局。
【請求項４６】  前記必要とされる伝送品質目標値を対応して変化させる手段が、必要とされる伝送パワーにおける異なる重大な変化に対応する、必要とされる伝送品質目標値の対応する変化の所定の値を含んでいる参照用テーブルを含む請求項３９から４５のいずれか一項に記載の移動局。
【請求項４７】  移動無線通信ネットワークエンティティへ、前記必要とされる伝送品質目標値の対応する変化を通信する手段を含む請求項３９から４６のいずれか一項に記載の移動局。
【請求項４８】  更に、移動局側において行われた品質の推定に基づいて、前記通信される値を定期的に更新する手段を含む、請求項４７に記載の移動局。
【請求項４９】  請求項１１から１９又は３９から４８に記載の少なくとも１つの移動局を含む移動無線通信システム。
【請求項５０】  請求項２０から３８に記載の少なくとも１つの移動無線通信ネットワークエンティティを含む移動無線通信システム。
【手続補正２】
【補正対象書類名】明細書
【補正対象項目名】００５４
【補正方法】変更
【補正の内容】
【００５４】
伝送速度が変化した場合、ステップ２３において、伝送パワーは、［１０ｌｏｇ（ＳＩＲ２／ＳＩＲ１）−δ］ｄＢだけ増大される。